(57)【要約】【課題】コンテナ容器の内側に内袋を収納したコンテナ内装容器において、収納物のスムーズな導入及び排出を得ることができ、更に、内袋の破損による事故が生じないようなコンテナ内装容器を提供すること。【解決手段】上部に開口部１６を有する容器本体１３と、該開口部１６を閉鎖し収納物を導入する開閉自在の充填口１９を有する内蓋１７と、容器本体１３の下部に接続された収納物排出用の排出筒１４と、容器本体１３内部に設けられた可撓性材料からなる取り替え自在の内袋２４とからなり、前記開口部１６と内蓋１７により内袋２４の開口部を挟んで固定したコンテナ内装容器１１において、前記内蓋１７にコンテナ容器内の空気の吸排気用のノズル２１，２２を設けたコンテナ内装容器。【選択図】図１
2007302274.tif 000002
【特許請求の範囲】
【請求項１】
上部に開口部を有する容器本体と、該開口部を閉鎖し収納物を導入する開閉自在の孔を有する蓋部材と、容器本体の下部に接続された収納物排出用の排出筒と、容器本体内部に設けられた可撓性材料からなる取り替え自在の内袋とからなり、前記開口部と蓋部材により内袋の開口部を挟んで固定したコンテナ内装容器において、前記蓋部材にコンテナ容器内の空気の吸排気用ノズルを設けたことを特徴とするコンテナ内装容器。
【発明の詳細な説明】
【技術分野】
【０００１】
この発明は、各種流体の輸送や収納に使用するコンテナ容器であって、内部に内装体としての内袋を収納したコンテナ内装容器に関する。
【背景技術】
【０００２】
図４は、従来のコンテナ容器であり、各種流体の輸送や収納に使用するコンテナ容器１は、複数の支持脚２で自立するようにした金属製の容器本体３の底部に排出筒４を設け、排出筒４に開閉バルブ５を接続した構造を有し、また、容器本体３の上部には、蓋部材６と、コンテナ容器内に予め入っていた空気を収納物の収納と交換に外部に取り出すための空気抜き用の内圧逃がしノズル７、並びに、同じく内圧の逃がし用及び収納物の排出筒からの取り出しの際に容器内に大気圧を取り入れて収納物の取り出しをスムーズにするための空気取り入れ用の役目も果たすエアー出入りノズル８が設けられている。
【０００３】
この容器本体３の内部に液体や粒状体等の流動物からなる収納物を収納する際は、上部の蓋部材６から容器本体３内に収納物を落とし込んで導入し、収納物の取出しの際は、排出筒４に接続された開閉バルブ５を開くことにより、排出筒４を通じて下部から収納物の取り出しを行うようになっている。
【０００４】
図５（Ａ）は、コンテナ容器１に直接、液体や粒状体の流動物からなる収納物ａを収納する際、図５（Ｂ）はコンテナ容器から収納物ａを取り出す際の内圧逃がしノズル７及びエアー出入りノズル８の働きを示すものである。
【０００５】
まず、図５（Ａ）のように容器本体３の上部にある蓋部材６から収納物を導入する際は、蓋部材６に設けてある充填口９にホースを接続するか又は直接手作業で、この充填口９を通じて収納物ａを容器本体３内に収納してゆくが、この際、容器本体３内への収納物ａの収納に伴う容器本体３の内部空気が、内圧逃がしノズル７とエアー出入りノズル８を通じて外部に排出され、収納物ａのスムーズな収納が可能となる。
【０００６】
次に、図５（Ｂ）に示すように、収納物ａを容器本体３の下部の排出筒４を通じて開閉バルブ５から取り出す際は、容器本体３内での収納物ａの減少に伴う減圧を、エアー出入ノズル８を通じて外部空気を導入することによって解決する。なお、収納物ａが爆発等の危険性があるものであれば、エアー出入ノズル８を直接窒素等不活性ガスのタンクに接続して不活性ガスを容器本体３内に導入することもある。
【０００７】
ところで、最近は、コンテナ容器本体３の内部に装着した内袋に流動物を収納し、内袋本体の底部に内部と連通する状態で取付けられた筒状のノズルを排出筒４内に位置させ、内袋内に収納物を収納することにより、収納物と容器本体３及び排出筒４との直接的な接触の発生がないようにしたものがあり、これらコンテナ容器用の内袋を用いたものは、収納物の種類を変更する場合には内袋を取り換えればよいので、容器本体の洗浄が不要になり、洗浄コストの低減が可能になるという利点がある（例えば、特許文献１や特許文献２）。
【特許文献１】特許第２９１５３４２号公報、図１
【特許文献２】特開２０００−１６８８８８号公報、図１
【発明の開示】
【発明が解決しようとする課題】
【０００８】
上記したコンテナ容器用の内袋を用いたものであっても、従来のコンテナ容器にそのまま内袋を使用した場合、以下の問題点が生じていた。
【０００９】
図４に示したような、従来の内袋の収納を考慮しないコンテナ容器１に内装容器として内袋１０を導入すると、まず、収納物ａの収納の際は、図６（Ａ）のように、収納物ａの導入と交換に内圧逃がしノズル７やエアー出入りノズル８を通じて外部に出すべき空気が、内袋１０の存在により外部に排出できず、空気抜きが出来ないために、蓋部材６に設けた収納物ａを収納中の充填口９で図中矢印で示すような空気の吹き返しが起こり、収納物ａの導入がスムーズに行かなくなり、特に、充填口９にホースを繋いで密閉状態で行う収納では、送り込みが出来なくなるおそれがある。
【００１０】
また、収納物ａの取り出しの際は、図６（Ｂ）のようにエアー出入ノズル８からの導入空気が容器本体３の内壁と内袋１０の外側の間に入り込み、収納物ａの排出筒４からの排出に伴い内袋１０が収縮して容器本体３の内壁から離れてゆくことになる。
【００１１】
そのまま収納物ａの取り出しを続けて内袋１０があまり収縮しすぎると、それ以上内袋１０が収縮しなくなり、その場合、収納物ａが取り出せなくなる。
【００１２】
なお、図６（Ｂ）の収納物が減った状態で内袋１０をそのままに再度蓋部材６から収納物ａを収納すれば、ある程度までは容器本体３の内壁と内袋１０の間の空気をノズル７，８から逃がせるが、それではそのたびに容器本体３内で内袋１０が膨張、収縮を繰り返すことになる。
【００１３】
このように、収納物ａの出し入れ毎にコンテナ容器１内で内袋１０がの容器本体３の内壁から離れて膨張・収縮を繰り返すと、内袋１０との容器本体３の内壁、または内袋１０同士の摩擦により内袋１０が破損し、収納物ａが内袋１０から出てしまい、収納物ａのコンテナ容器本体との直接的な接触の発生がないようにした目的が失われることがある。
【００１４】
また、コンテナ容器１内で内袋１０がの容器本体３の内壁から離れた状態でコンテナ容器１を輸送したりしても、同様に内袋１０との容器本体３の内壁、または内袋１０同士の摩擦により内袋１０が破損するおそれがあった。
【００１５】
そこで、この発明の課題は、コンテナ容器の内側に内袋を収納したコンテナ内装容器において、収納物のスムーズな導入及び排出を得ることができ、更に、内袋の破損による事故が生じないようなコンテナ内装容器を提供することにある。
【課題を解決するための手段】
【００１６】
上記のような課題を解決するため、この発明は、上部に開口部を有する容器本体と、該開口部を閉鎖し収納物を導入する開閉自在の孔を有する蓋部材と、容器本体の下部に接続された収納物排出用の排出筒と、容器本体内部に設けられた可撓性材料からなる取り替え自在の内袋とからなり、前記開口部と蓋部材により内袋の開口部を挟んで固定したコンテナ内装容器において、前記蓋部材にコンテナ容器内の空気の吸排気用ノズルを設けたコンテナ内装容器である。
【００１７】
この発明の構成によれば、コンテナ容器への収納物の出し入れに伴うコンテナ容器内の空気の出入りが、コンテナの容器本体と収納物との間に内袋が存在しない蓋部材に設けた吸排気用ノズルによって行われるので、内袋の存在によって空気の排出が邪魔されたり、また、コンテナ容器内壁と内袋の隙間に外気が入り込んで内袋がコンテナ容器内で萎むといったことがない。
【発明の効果】
【００１８】
この発明によると、内袋を内蔵したコンテナ内装容器において、内袋を用いても収納物の収納及び排出に伴うコンテナ容器内の空気の入れ替わりが支障なく行われるので、収納物の出し入れがスムーズに行える。
【００１９】
また、収納物の出し入れに伴って内袋がコンテナ容器内で収縮、膨張を繰り返したりすることがなく、内袋とコンテナ容器内壁、または内袋同士の摩擦が原因の内袋の破損による収納物のこぼれ出しといった事故が生じない。
【発明を実施するための最良の形態】
【００２０】
以下、この発明の実施形態のコンテナ内装容器を説明する。
【００２１】
図１のように、本発明のコンテナ内装容器１１は、複数の支持脚１２で自立するようにした金属製の容器本体１３と、この容器本体１３の底部に設けた排出筒１４とからなり、排出筒１４は、円筒パイプを用い、容器本体１３の底部から垂下して途中から水平に屈曲し、端部では水平方向になるように設置され、この排出筒１４の端部に別途用意した開閉バルブ１５の一方端部を適宜な接続部材により接続することにより、排出筒１４の端部開口を閉鎖している。
【００２２】
容器本体１３の上部中央部は開口部１６が形成され、この開口部１６に内蓋１７が嵌め込まれ、更に内蓋１７の上部に外蓋１８が設置され、内蓋１７と外蓋１８で蓋部材を形成している。
【００２３】
図２は、内蓋１７及び外蓋１８からなる蓋部材付近を拡大した正面断面図で、（Ａ）は内蓋１７を容器本体１３の開口部１６に嵌め込んだ状態、（Ｂ）は更に外蓋１８を装着した状態を示す。
【００２４】
容器本体１３の上部開口部１６に嵌め込まれた内蓋１７は、その中央部に収納物を容器本体１３内に導入するための外部に突出した短筒状の充填口１９が設けられており、普段はキャップ２０により閉鎖されている。
【００２５】
また、充填口１９を挟んだ左右には、それぞれ外部に突出した短筒状の内蓋内圧逃がしノズル２１と内蓋エアー出入りノズル２２が設けられている。
【００２６】
なお、内蓋１７の容器本体１３への嵌め込みは、容器本体１３の開口部１６の周囲に設けた内蓋止めストッパー２３により内蓋１７の容器内部への落ち込みを防止しており、この内蓋止めストッパー２３と内蓋１７の間に、ＰＥ製などの可撓性材料からなる内袋２４の上部開口部付近を挟み込んで内袋２４の固定を図っている。
【００２７】
内蓋１７の上に外蓋１８を設置するが、外蓋１８には内蓋１７の内蓋内圧逃がしノズル２１と内蓋エアー出入りノズル２２に対応する位置に、それぞれ外蓋内圧逃がしノズル２５と外蓋エアー出入りノズル２６が設けられており、それぞれのノズル２５，２６を図２（Ｂ）に示すように内蓋１７側のノズル２１，２２に嵌め込んで固定する。
【００２８】
なお、外蓋１８の上面における外蓋内圧逃がしノズル２５直上にはこの外蓋内圧逃がしノズル２５と繋がる単動式安全弁２７が、外蓋エアー出入りノズル２６直上にはこの外蓋エアー出入りノズル２６に繋がり水平方向に屈曲し、適宜接合手段からなる窒素・エアー出入口２８が設けられている。
【００２９】
内蓋内圧逃がしノズル２１、外蓋内圧逃がしノズル２５、及び単動式安全弁２７が組み合わされた部分では、コンテナ容器内から外方への一方通行の弁となり、コンテナ内装容器１１の容器本体１３内の内圧が高まった時の内部空気の放出に使われる。
【００３０】
また、内蓋エアー出入りノズル２２、外蓋エアー出入りノズル２６、及び窒素・エアー出入口２８が組み合わされた部分では、外方からコンテナ容器内への出入り両方向への空気の流れを許容しており、前述のコンテナ内装容器１１の容器本体１３内の内圧が高まった時の内部空気の放出に使用される以外に、窒素・エアー出入口２８に窒素タンクやエアータンク等を繋ぎ、容器本体１３内の内圧が減少した時に、空気等を送り込んで内圧を所定の範囲に保つようになっている。なお、収納物が起爆性の場合は、窒素等の不活性ガスを導入するようになっている。
【００３１】
なお、容器本体１３の上面には、従来のコンテナ容器と同様に、エアー出入りノズル２９が設けられており、容器本体１３内に内袋２４を装着する際、容器本体１３の開口部１６に内袋２４を入れた後、内袋２４内にエアーを充填して膨張させて容器本体１３の内壁に密着するようにするが、その際、容器本体１３の内壁と内袋２４との間にある空気をこのエアー出入りノズル２９を通じて外部に排出するようになっている。
【００３２】
また、内袋２４を取り替える際には、このこのエアー出入りノズル２９に外部から空気を導入して内袋２４を容器本体１３内で収縮させて、収縮させた内袋２４は容器本体１３の開口部１６から外部へ取り出される。
【００３３】
この発明のコンテナ内装容器１１は、上記のような構成であり、次に、このコンテナ内装容器１１に収納物を収納する様子を図３に基づいて説明する。
【００３４】
図３（Ａ）は、この発明のコンテナ内装容器１１に収納物ａを収納する際の正面断面図であり、外蓋１８を取り去り、内蓋１７の充填口１９を封鎖しているキャップ２０を外し、ここに適宜ホースを接続して収納物ａをホースを通じて容器本体１３内に導入するか、又は図示していないが漏斗状の器具を充填口１９にかませてから、その上方から重力を利用して収納物ａを落下させて収納するようにする。
【００３５】
その際、容器本体１３内に入った収納物ａと交換に内部の空気は、外部との間に内袋２４が介在していない内蓋１７の内蓋内圧逃がしノズル２１と内蓋エアー出入りノズル２２から外部に放出されるので、充填口１９における空気の吹き戻し等がなく、収納物ａのスムーズな収納が行われる。
【００３６】
収納物ａの収納後は、内蓋１７の上に外蓋１８を嵌め込んで、この状態で収納物ａの保管や場合によっては輸送が行われるが、保管中に気温の上昇や収納物ａの揮発等により容器本体１３内部の内圧が高まった時は、内蓋内圧逃がしノズル２１及び内蓋エアー出入りノズル２２を通じて内部エアーが外部に放出され、コンテナ内部の圧力を一定に保つようになる。
【００３７】
図３（Ｂ）は、この発明のコンテナ内装容器１１から収納物ａを取り出す際の正面断面図であり、開閉バルブ１５を操作して、重力を利用して排出筒１４を通じて開閉バルブ１５から収納物ａを取り出すが、容器本体１３内での収納物ａの減少による減圧は、内蓋エアー出入りノズル２２、外蓋エアー出入りノズル２６、及び窒素・エアー出入口２８を通じて外部空気または図示していないタンク内の空気や窒素が容器本体１３内に入り込むことで減圧を防止し、収納物ａのスムーズな排出が行われる。
【００３８】
なお、この発明の実施形態の一例は上記のようなものであるが、この発明は、上記説明及び図面で示した構成に限定されるものではなく、蓋部材を構成する内蓋や外蓋の構成、及びノズル部分の構成や構造は、この発明の構成・目的の範囲内で適宜変更して実施することができる。
【図面の簡単な説明】
【００３９】
【図１】本発明のコンテナ内装容器全体の一部切欠正面図
【図２】（Ａ）（Ｂ）は本発明のコンテナ内装容器の蓋部材の正面断面図
【図３】コンテナ内装容器全体の正面断面図で、（Ａ）は収納物導入時、（Ｂ）は収納物排出時の様子を示す
【図４】従来のコンテナ容器の正面図
【図５】従来のコンテナ容器の正面断面図で、（Ａ）は収納物導入時、（Ｂ）は収納物排出時の様子を示す
【図６】従来のコンテナ容器に内袋を用いた正面断面図で、（Ａ）は収納物導入時、（Ｂ）は収納物排出時の様子を示す
【符号の説明】
【００４０】
ａ  収納物
１  コンテナ容器
２  支持脚
３  容器本体
４  排出筒
５  開閉バルブ
６  蓋部材
７  内圧逃がしノズル
８  エアー出入りノズル
９  充填口
１０  内袋
１１  コンテナ内装容器
１２  支持脚
１３  容器本体
１４  排出筒
１５  開閉バルブ
１６  開口部
１７  内蓋
１８  外蓋
１９  充填口
２０  キャップ
２１  内蓋内圧逃がしノズル
２２  内蓋エアー出入りノズル
２３  内蓋止めストッパー
２４  内袋
２５  外蓋内圧逃がしノズル
２６  外蓋エアー出入りノズル
２７  単動式安全弁
２８  窒素・エアー出入口
２９  エアー出入りノズル
【図１】
2007302274.tif 000003
【図２】
2007302274.tif 000004
【図３】
2007302274.tif 000005
【図４】
2007302274.tif 000006
【図５】
2007302274.tif 000007
【図６】
2007302274.tif 000008